【手続補正書】
【提出日】平成29年8月29日(2017.8.29)
【手続補正１】
【補正対象書類名】明細書
【補正対象項目名】００１２
【補正方法】変更
【補正の内容】
【００１２】
本発明の撮像レンズは、固体撮像素子上に被写体の像を結像する７枚の光学素子構成の撮像レンズであって、物体側から像側に向かって順に、第１の光学素子としての物体側に凸面を向けた正の屈折力を有する第１レンズと、第２の光学素子としての像側に凹面を向けたメニスカス形状で負の屈折力を有する第２レンズと、第３の光学素子としての正または負の屈折力を有する少なくとも１面が非球面の第３レンズと、第４の光学素子としての正または負の屈折力を有する少なくとも１面が非球面の第４レンズと、第５の光学素子としての正または負の屈折力を有する少なくとも１面が非球面の第５レンズと、第６の光学素子としての像側に凹面を向けた正または負の屈折力を有する両面が非球面の第６レンズとを備えており、前記第６レンズの像側の面は、光軸上以外の位置に変極点を有する非球面が形成されており、前記第１レンズから撮像面までの間に、第７の光学素子としての、光軸近傍で両面が平面であり、実質的に屈折力を有さない、両面が非球面の収差補正光学素子を１枚配置して構成し、以下の条件式（１）から（３）を満足する。
（１）０．０５＜ＴＮ／ｆ＜０．３５
（２）０．０３＜ｄＮ／ｆ＜０．２５
（３）４５＜νｄＮ＜６５
ただし、
ｆ  ：撮像レンズ全系の焦点距離
ＴＮ：収差補正光学素子が配置されるレンズ間隔の光軸上の距離
ｄＮ：収差補正光学素子の光軸上の厚み
νｄＮ：収差補正光学素子のｄ線に対するアッべ数

【手続補正２】
【補正対象書類名】明細書
【補正対象項目名】００１６
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
固体撮像素子上に被写体の像を結像する７枚の光学素子構成の撮像レンズであって、物体側から像側に向かって順に、第１の光学素子としての物体側に凸面を向けた正の屈折力 を有する第１レンズと、第２の光学素子としての像側に凹面を向けたメニスカス形状で負 の屈折力を有する第２レンズと、第３の光学素子としての正または負の屈折力を有する少 なくとも１面が非球面の第３レンズと、第４の光学素子としての正または負の屈折力を有 する少なくとも１面が非球面の第４レンズと、第５の光学素子としての正または負の屈折 力を有する少なくとも１面が非球面の第５レンズと、第６の光学素子としての像側に凹面 を向けた正または負の屈折力を有する両面が非球面の第６レンズとを備えており、前記第６レンズの像側の面は、光軸上以外の位置に変極点を有する非球面が形成されており、前記第１レンズから撮像面までの間に、第７の光学素子としての実質的に屈折力を有さない、光軸近傍で両面が平面であり、両面が非球面の収差補正光学素子を１枚配置して構成し、以下の条件式（１）から（３）を満足することを特徴とする、７枚の光学素子構成の撮像レンズ。
（１）０．０５＜ＴＮ／ｆ＜０．３５
（２）０．０３＜ｄＮ／ｆ＜０．２５
（３）４５＜νｄＮ＜６５
ただし、
ｆ  ：撮像レンズ全系の焦点距離
ＴＮ：収差補正光学素子が配置されるレンズ間隔の光軸上の距離
ｄＮ：収差補正光学素子の光軸上の厚み
νｄＮ：収差補正光学素子のｄ線に対するアッべ数
【請求項２】
前記収差補正光学素子が前記第１レンズと前記第２レンズとの間に配置されていることを特徴とする請求項１に記載の７枚の光学素子構成の撮像レンズ。
【請求項３】
前記収差補正光学素子が前記第２レンズと前記第３レンズとの間に配置されていることを特徴とする請求項１に記載の７枚の光学素子構成の撮像レンズ。
【請求項４】
前記収差補正光学素子が前記第３レンズと前記第４レンズとの間に配置されていることを特徴とする請求項１に記載の７枚の光学素子構成の撮像レンズ。
【請求項５】
前記収差補正光学素子が前記第４レンズと前記第５レンズとの間に配置されていることを特徴とする請求項１に記載の７枚の光学素子構成の撮像レンズ。
【請求項６】
前記収差補正光学素子が前記第５レンズと前記第６レンズとの間に配置されていることを特徴とする請求項１に記載の７枚の光学素子構成の撮像レンズ。
【請求項７】
前記収差補正光学素子が、前記第６レンズと前記撮像面との間に配置されていることを特徴とする請求項１に記載の７枚の光学素子構成の撮像レンズ。
【請求項８】
以下の条件式（４）を満足することを特徴とする請求項１に記載の７枚の光学 素子構成の撮像レンズ。
（４）ｆ／ＥＰＤ＜２．４０
ただし、
ｆ：撮像レンズ全系の焦点距離
ＥＰＤ：入射瞳直径
【請求項９】
前記第１レンズと前記第２レンズと前記第３レンズの合成屈折力は正であり、前記第４レンズと前記第５レンズの合成屈折力は正であり、前記第６レンズの屈折力は負であることを特徴とする請求項１に記載の７枚の光学素子構成の撮像レンズ。
【請求項１０】
以下の条件式（５）を満足することを特徴とする請求項１または９に記載の７枚の光学素子構成の撮像レンズ。
（５）０．５＜ｆ１２３／ｆ＜２．０
ただし、
ｆ：撮像レンズ全系の焦点距離
ｆ１２３：第１レンズと第２レンズと第３レンズの合成焦点距離
【請求項１１】
前記第４レンズは正の屈折力を有し、前記第５レンズは負の屈折力を有し、以下の条件式（６）を満足することを特徴とする請求項１または９に記載の７枚の光学素子構成の撮像レンズ。
（６）２．０＜｜ｆ５｜／ｆ４＜１０．０
ただし、
ｆ４：第４レンズの焦点距離
ｆ５：第５レンズの焦点距離
【請求項１２】
前記第４レンズは負の屈折力を有し、前記第５レンズは正の屈折力を有し、以下の条件式（７）を満足することを特徴とする請求項１または９に記載の７枚の光学素子構成の撮像レンズ。
（７）０．５＜｜ｆ４｜／ｆ５＜５．０
ただし、
ｆ４：第４レンズの焦点距離
ｆ５：第５レンズの焦点距離
【請求項１３】
以下の条件式（８）を満足することを特徴とする請求項１または９に記載の７枚の光学素子構成の撮像レンズ。
（８）−１．２＜ｆ６／ｆ＜−０．５
ただし、
ｆ：撮像レンズ全系の焦点距離
ｆ６：第６レンズの焦点距離
【請求項１４】
以下の条件式（９）から（１２）を満足することを特徴とする請求項１に記載の７枚の 光学素子構成の撮像レンズ。
（９）２５＜νｄ１−νｄ２＜４０
（１０）４５＜νｄ３＜６５
（１１）２０＜｜νｄ４−νｄ５｜＜４０
（１２）４５＜νｄ６＜６５
ただし、
νｄ１：第１レンズのｄ線に対するアッべ数
νｄ２：第２レンズのｄ線に対するアッべ数
νｄ３：第３レンズのｄ線に対するアッべ数
νｄ４：第４レンズのｄ線に対するアッべ数
νｄ５：第５レンズのｄ線に対するアッべ数
νｄ６：第６レンズのｄ線に対するアッべ数
【請求項１５】
以下の条件式（１３）、および（１４）を満足することを特徴とする請求項１に記載の７枚の光学素子構成の撮像レンズ。
（１３）０．５＜ｆ１／ｆ＜１．５
（１４）−１．６＜（ｒ１＋ｒ２）／（ｒ１−ｒ２）＜−０．５
ただし、
ｆ：撮像レンズ全系の焦点距離
ｆ１：第１レンズの焦点距離
ｒ１：第１レンズの物体側の面の曲率半径
ｒ２：第１レンズの像側の面の曲率半径
【請求項１６】
以下の条件式（１５）を満足することを特徴とする請求項１に記載の７枚の光学素子構成の撮像レンズ。
（１５）２．０＜（ｒ３＋ｒ４）／（ｒ３−ｒ４）＜１０．０
ただし、
ｒ３：第２レンズの物体側の面の曲率半径
ｒ４：第２レンズの像側の面の曲率半径
【請求項１７】
以下の条件式（１６）を満足することを特徴とする請求項１に記載の７枚の光学素子構成の撮像レンズ。
（１６）−０．８＜（ｒ１１＋ｒ１２）／（ｒ１１−ｒ１２）＜１．５０
ただし、
ｒ１１：第６レンズの物体側の面の曲率半径
ｒ１２：第６レンズの像側の面の曲率半径
【請求項１８】
以下の条件式（１７）、および（１８）を満足することを特徴とする請求項１に記載の７枚の光学素子構成の撮像レンズ。
（１７）０．０２＜ｆ１２３／ｆ４５＜１．５
（１８）−２２．０＜ｆ４５／ｆ６＜−１．０
ただし、
ｆ１２３：第１レンズと第２レンズと第３レンズの合成焦点距離
ｆ４５：第４レンズと第５レンズの合成焦点距離
ｆ６  ：第６レンズの焦点距離